【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
外部装置と通信可能な印刷装置であって、
前記外部装置から印刷データを受信する受信手段と、
前記受信手段によって受信された印刷データを記憶する記憶手段と、
前記記憶手段に記憶された印刷データに基づいて画像をシートに印刷する印刷手段と、
前記記憶手段に記憶された印刷データのうち前記印刷手段によって画像が印刷された印刷データを削除するよう指示する指示手段とを有し、
前記印刷装置がスリープ状態に移行する条件が満たされ、且つ、前記指示手段によって削除するよう指示されたが削除されていない印刷データの数が所定の数より少ない場合、前記指示手段によって削除するよう指示された印刷データを削除することなく前記スリープ状態に移行し、
前記印刷装置が前記スリープ状態に移行する条件が満たされ、且つ、前記指示手段によって削除するよう指示されたが削除されていない印刷データの数が前記所定の数以上である場合、前記指示手段によって削除するよう指示された印刷データを削除してから前記スリープ状態に移行することを特徴とする印刷装置。
【請求項２】
前記印刷装置が前記スリープ状態に移行する条件が満たされたか否かを判定する判定手段をさらに有し、
前記印刷装置が前記スリープ状態に移行する条件が満たされたと前記判定手段によって判定され、且つ、前記指示手段によって削除するよう指示されたが削除されていない印刷データの数が所定の数より少ない場合、前記指示手段によって削除するよう指示された印刷データを削除することなく前記スリープ状態に移行し、
前記印刷装置が前記スリープ状態に移行する条件が満たされたと前記判定手段によって判定され、且つ、前記指示手段によって削除するよう指示されたが削除されていない印刷データの数が前記所定の数以上である場合、前記印刷装置は前記指示手段によって削除するよう指示された印刷データを削除してから前記スリープ状態に移行することを特徴とする請求項１に記載の印刷装置。
【請求項３】
前記記憶手段に記憶された印刷データのうち前記印刷手段によって画像が印刷された印刷データを削除対象印刷データとして登録する登録手段をさらに有することを特徴とする請求項１または２に記載の印刷装置。
【請求項４】
前記印刷装置が前記スリープ状態に移行する条件が満たされ、且つ、前記指示手段によって削除するよう指示されたが削除されていない印刷データの数が前記所定の数以上である場合、前記受信手段による印刷データの受信が許可されない状態に前記印刷装置を移行させる移行手段をさらに有することを特徴とする請求項１に記載の印刷装置。
【請求項５】
外部装置と通信可能な印刷装置であって、
前記外部装置から印刷データを受信する受信手段と、
前記受信手段によって受信された印刷データを記憶する記憶手段と、
前記記憶手段に記憶された印刷データに基づいて画像をシートに印刷する印刷手段と、
前記記憶手段に記憶された印刷データのうち前記印刷手段によって画像が印刷された印刷データを削除するよう指示する指示手段とを有し、
前記印刷装置がスリープ状態に移行する条件が満たされ、且つ、前記指示手段によって削除するよう指示されたが削除されていない印刷データの量が所定の量より少ない場合、前記指示手段によって削除するよう指示された印刷データを削除することなく前記スリープ状態に移行し、
前記印刷装置が前記スリープ状態に移行する条件が満たされ、且つ、前記指示手段によって削除するよう指示されたが削除されていない印刷データの量が前記所定の量以上である場合、前記指示手段によって削除するよう指示された印刷データを削除してから前記スリープ状態に移行することを特徴とする印刷装置。
【請求項６】
前記印刷装置が前記スリープ状態に移行する条件が満たされたか否かを判定する判定手段をさらに有し、
前記印刷装置が前記スリープ状態に移行する条件が満たされたと前記判定手段によって判定され、且つ、前記指示手段によって削除するよう指示されたが削除されていない印刷データの量が所定の量より少ない場合、前記指示手段によって削除するよう指示された印刷データを削除することなく前記スリープ状態に移行し、
前記印刷装置が前記スリープ状態に移行する条件が満たされたと前記判定手段によって判定され、且つ、前記指示手段によって削除するよう指示されたが削除されていない印刷データの量が前記所定の量以上である場合、前記指示手段によって削除するよう指示された印刷データを削除してから前記スリープ状態に移行することを特徴とする請求項５に記載の印刷装置。
【請求項７】
前記記憶手段に記憶された印刷データのうち前記印刷手段によって画像が印刷された印刷データを削除対象印刷データとして登録する登録手段をさらに有することを特徴とする請求項５または６に記載の印刷装置。
【請求項８】
前記印刷装置が前記スリープ状態に移行する条件が満たされ、且つ、前記指示手段によって削除するよう指示されたが削除されていない印刷データの量が前記所定の量以上である場合、前記受信手段による印刷データの受信が許可されない状態に前記印刷装置を移行させる移行手段をさらに有することを特徴とする請求項５に記載の印刷装置。
【請求項９】
外部装置と通信可能な印刷装置の制御方法であって、
前記外部装置から印刷データを受信する受信工程と、
前記受信工程で受信された印刷データを記憶する記憶工程と、
前記記憶工程で記憶された印刷データに基づいて画像をシートに印刷する印刷工程と、
前記記憶工程で記憶された印刷データのうち前記印刷工程で画像が印刷された印刷データを削除するよう指示する指示工程とを有し、
前記印刷装置がスリープ状態に移行する条件が満たされ、且つ、前記指示工程で削除するよう指示されたが削除されていない印刷データの数が所定の数より少ない場合、前記削除するよう指示された印刷データを削除することなく前記印刷装置を前記スリープ状態に移行させ、
前記印刷装置が前記スリープ状態に移行する条件が満たされ、且つ、前記指示工程で前記削除するよう指示されたが削除されていない印刷データの数が前記所定の数以上である場合、前記削除するよう指示された印刷データを削除してから前記印刷装置を前記スリープ状態に移行させることを特徴とする印刷装置の制御方法。
【請求項１０】
外部装置と通信可能な印刷装置の制御方法であって、
前記外部装置から印刷データを受信する受信工程と、
前記受信工程で受信された印刷データを記憶する記憶工程と、
前記記憶工程で記憶された印刷データに基づいて画像をシートに印刷する印刷工程と、
前記記憶工程で記憶された印刷データのうち前記印刷工程で画像が印刷された印刷データを削除するよう指示する指示工程とを有し、
前記印刷装置がスリープ状態に移行する条件が満たされ、且つ、前記指示工程で削除するよう指示されたが削除されていない印刷データの量が所定の量より少ない場合、前記指示工程で削除するよう指示された印刷データを削除することなく前記印刷装置を前記スリープ状態に移行させ、
前記印刷装置が前記スリープ状態に移行する条件が満たされ、且つ、前記指示工程で削除するよう指示されたが削除されていない印刷データの量が前記所定の量以上である場合、前記指示工程で削除するよう指示された印刷データを削除してから前記印刷装置を前記スリープ状態に移行させることを特徴とする印刷装置の制御方法。
【請求項１１】
コンピュータを、請求項９または１０に記載の印刷装置の制御方法をコンピュータに実行させるためのプログラム。
【手続補正２】
【補正対象書類名】明細書
【補正対象項目名】０００６
【補正方法】変更
【補正の内容】
【０００６】
上記目的を達成するために、本発明の一態様に係る印刷装置は以下のような構成を備える。すなわち、外部装置と通信可能な印刷装置であって、
前記外部装置から印刷データを受信する受信手段と、前記受信手段によって受信された印刷データを記憶する記憶手段と、前記記憶手段に記憶された印刷データに基づいて画像をシートに印刷する印刷手段と、前記記憶手段に記憶された印刷データのうち前記印刷手段によって画像が印刷された印刷データを削除するよう指示する指示手段とを有し、前記印刷装置がスリープ状態に移行する条件が満たされ、且つ、前記指示手段によって削除するよう指示されたが削除されていない印刷データの数が所定の数より少ない場合、前記指示手段によって削除するよう指示された印刷データを削除することなく前記スリープ状態に移行し、前記印刷装置が前記スリープ状態に移行する条件が満たされ、且つ、前記指示手段によって削除するよう指示されたが削除されていない印刷データの数が前記所定の数以上である場合、前記指示手段によって削除するよう指示された印刷データを削除してから前記スリープ状態に移行することを特徴とする。
【手続補正３】
【補正対象書類名】明細書
【補正対象項目名】０００７
【補正方法】変更
【補正の内容】
【０００７】
本発明によれば、印刷装置がスリープ状態に移行する条件が満たされ、且つ、削除するよう指示されたが削除されていない印刷データの数が所定の数以上である場合、削除するよう指示された印刷データを削除してからスリープ状態に移行することが可能となる。